(57)【要約】【課題】本発明は、排気ファンのハブが高温の空気にさらされることを抑制しつつ排熱を行う投射型表示装置の提供を目的とする。【解決手段】本発明に係る投射型表示装置は、ランプ光源３と、ランプ光源３を囲むランプユニット２と、ランプユニット２の後方に設けられ、ランプ光源３の熱を排熱する排気ファン７と、を備え、ランプユニット２の背面およびランプユニット２のいずれかの側面（即ちメッシュ側面４）はメッシュになっていることを特徴とする。【選択図】図１
2014224887.tif 000002
【特許請求の範囲】
【請求項１】
ランプ光源と、
前記ランプ光源を囲むランプユニットと、
前記ランプユニットの後方に設けられ、前記ランプ光源の熱を排熱する排気ファンと、
を備え、
前記ランプユニットの背面および前記ランプユニットのいずれかの側面はメッシュになっていることを特徴とする、
投射型表示装置。
【請求項２】
前記ランプユニット背面にフィンをさらに備える、
請求項１に記載の投射型表示装置。
【請求項３】
前記フィンは、前記メッシュになっている側面に対して角度を付けて配置されることを特徴とする、
請求項２に記載の投射型表示装置。
【発明の詳細な説明】
【技術分野】
【０００１】
本発明は投射型表示装置に関し、特に液晶プロジェクター、ＤＬＰ（登録商標）プロジェクター等、ランプを有する光源装置を備えた投射型表示装置に関する。
【背景技術】
【０００２】
投射型表示装置の光源部分は例えば、光源としてのランプ、ランプを収納するランプユニット、ランプを冷却するための排気ファンから構成される。ランプユニットを通過した空気は、ランプの熱によって高温となる。特に、ランプユニットが防爆構造（ランプ破裂した場合でも外部にガラス破片が漏れない構造）を有している場合、ランプ周囲を壁状の構造物で覆う必要があるため、空気の流れが停滞しやすく、空気が高温になりやすい。排気ファンのハブがこの高温の空気にさらされると、部品の劣化等により排気ファンの性能低下および寿命の低下につながる。
【０００３】
そこで、高温空気が排気ファンのハブにかかるのを避ける構造が提案されている。一般的には、排気ファンのハブの前面にハブと同等以上の面積を有する遮蔽板を配置し、ハブに直接高温空気が当たらないようにしている（特許文献１参照）。
【０００４】
また、ランプからの輻射熱を遮蔽するために、ハブに金属シートを貼付けたり、ハブへの伝熱を抑えるために断熱性のあるスポンジ状のシートを貼り付けるなどして、ハブが高温状態にならないようにする工夫が知られている。
【先行技術文献】
【特許文献】
【０００５】
【特許文献１】特開２００７−２９３１９４号公報
【発明の概要】
【発明が解決しようとする課題】
【０００６】
上述した遮蔽板を配置する構造の場合、遮蔽板から高温空気がハブに回り込む可能性がある。また、遮蔽版を大きくすると排気ファンの排気効率が下がり、ランプユニットのみならず投射型表示装置全体の温度上昇を引き起こす問題がある。
【０００７】
また、ハブにランプからの輻射熱遮蔽のために金属シートを貼付けたり、ハブへの伝熱を抑えるために断熱性のあるスポンジ状のシートを貼付けた場合、ハブ温度低減効果はあるものの、間接的にハブに高温空気が当たるため、その効果は小さい。
【０００８】
本発明は以上のような課題を解決するためになされたものであり、排気ファンのハブが高温の空気にさらされることを抑制しつつ排熱を行う投射型表示装置の提供を目的とする。
【課題を解決するための手段】
【０００９】
本発明に係る投射型表示装置は、ランプ光源と、ランプ光源を囲むランプユニットと、ランプユニットの後方に設けられ、ランプ光源の熱を排熱する排気ファンと、を備え、ランプユニットの背面およびランプユニットのいずれかの側面はメッシュになっていることを特徴とする。
【発明の効果】
【００１０】
本発明に係る投射型表示装置において、ランプユニットのいずれかの側面をメッシュとすることによって、メッシュを介して比較的低温の気流がランプユニット内に取り込まれる。低温の気流がランプユニット内に取り込まれることによって、ランプユニット内を流れる比較的高温の気流の軌道が変化するため、排気ファンのハブに高温の気流が当たりにくくなる。よって、ハブが熱によって損傷することによる排気ファンの性能低下および寿命低下を抑制することが可能である。
【図面の簡単な説明】
【００１１】
【図１】実施の形態１に係る投射型表示装置の光源部分の断面図である。
【図２】実施の形態２に係る投射型表示装置の光源部分の断面図である。
【図３】前提技術に係る投射型表示装置の光源部分の断面図である。
【発明を実施するための形態】
【００１２】
＜前提技術＞
図３に、前提技術としての投射型表示装置の光源部分の断面図を示す。前提技術において投射型表示装置は、ランプ光源３と、ランプ光源３を囲むランプユニット２と、ランプユニット２の後部に配置され、ランプ光源３の発する熱を投射型表示装置筐体１の外部へ排出する排気ファン７を備える。投射型表示装置はさらに、ランプ光源３の光を変調して画像光を形成する光変調素子（図示せず）と、映像信号に基づいて光変調素子を駆動する光変調素子駆動部（図示せず）を備える。また、ランプ光源３と光変調素子との間には所定の光学系（図示せず）が配置される。また、光変調素子において形成された画像光は、所定の投射光学系（図示せず）を介してスクリーン（図示せず）に投射される。
【００１３】
排気ファン７は、回転により気流を発生させるファンブレード９と、ファンハブ８から構成される。ファンハブ８は、ファンブレード９の回転に関わる電子部品や軸受などの回転機構を備える。
【００１４】
ランプユニット２は、投射型表示装置筐体１内に取り付けられている。ランプユニット２の後部には排気ファン７が取り付けられている。また、投射型表示装置筐体１の背面（以降では筐体背面１０と記述）には、格子状に複数の開口部が設けられている。ランプユニット背面５はメッシュになっており、排気ファン７のファンブレード９が回転することにより生じる気流が通過する。また、ランプユニット２の側面は開口部を有さないか、小さな開口部を有するとする。また、ランプユニット２の前面にはランプキャップ１３が取り付けられている。ランプキャップ１３は気流が通過可能な構造（例えばメッシュ構造）である。
【００１５】
排気ファン７が動作することによって高温気流１１と低温気流１２が発生する。ランプユニット２外の空間を通過する低温気流１２は比較的低温である。一方、ランプユニット２前面から取り込まれ、ランプユニット２内を通過する高温気流１１は、ランプ光源３の発する熱によって温められて、比較的高温となる。
【００１６】
図３に矢印で示す様に、ランプユニット２の外側を通る低温気流１２は、ファンハブ８に当たることなくファンブレード９を通過し、筐体背面１０から外部に排出される。一方、ランプユニット２前面から取り込まれる高温気流１１は、ランプユニット背面５のメッシュを通過する。そして、高温気流１１は、ファンハブ８に当たった後、ファンハブ８を取り巻きながらファンブレード９を通過して、筐体背面１０から外部に排出される。ファンハブ８内にはファンブレード９の回転に関わる電子部品や軸受などの回転機構が配置されている。よって、ファンハブ８に高温気流１１が当たって高温となると、電子部品や回転機構が高温により損傷を受ける可能性がある。また、排気ファン７は投射型表示装置筐体１に囲まれているため、高温気流１１を避けることができない。
【００１７】
ファンハブ８に高温気流１１が当たってファンハブ８が損傷すると、排気ファン７の性能低下および寿命低下が起こる可能性がある。また、ランプ光源３が高温になると、シール部の劣化が進み、ランプ光源３の寿命が低下する可能性がある。ここでシール部とは、ランプ光源３のガラス管内に金属箔が封止された箇所のことである。この金属箔が高温により酸化することで、シール部が劣化する。
【００１８】
＜実施の形態１＞
＜構成＞
図１に、本実施の形態における投射型表示装置の光源部分の断面図を示す。ランプユニット２のいずれかの側面はメッシュになっている。このメッシュになっている側面をメッシュ側面４と記述する。その他の側面は開口部を有しないか、気流の流れに影響が無い程度の小さな開口部を有するとする。その他の構成は前提技術（図３）と同じため、説明を省略する。
【００１９】
＜作用＞
排気ファン７のファンブレード９が回転することによって負圧が生じて気流が発生する。投射型表示装置筐体１を通過する気流はその軌道から３種類（高温気流１１、第１低温気流１２Ａ、第２低温気流１２Ｂ）に分類される。
【００２０】
前提技術において述べた様に、高温気流１１は、ランプユニット２前面から取り込まれ、ランプユニット２背面を通過する。この際、高温気流１１はランプ光源３の熱により高温となる。本実施の形態において、高温気流１１は、ランプユニット２内を通過する際、後述する第１低温気流１２Ａにより、図１の上方向に押し上げられることによって、その軌道が変化する。高温気流１１の軌道が変化することによって、ランプユニット２背面を通過した高温気流１１は、ファンハブ８に当たることなく、ファンブレード９を通過して筐体背面１０から外部に排出される。
【００２１】
第１低温気流１２Ａは、ランプユニット２外の空間からメッシュ側面４を通過してランプユニット２内に取り込まれ、ランプユニット２背面を通過する。ランプユニット２背面を通過した第１低温気流１２Ａは、ファンハブ８に当たった後、ファンハブ８を取り巻きながらファンブレード９を通過して筐体背面１０から外部に排出される。
【００２２】
第１低温気流１２Ａがランプユニット２内を通過する際、第１低温気流１２Ａは高温気流１１を、メッシュ側面４と反対側の方向（図１の上方向）に押し上げる。結果として、高温気流１１の軌道が、前提技術（図３）において示す軌道から、図１において示す軌道に変化する。
【００２３】
また、第２低温気流１２Ｂは、ランプユニット２の外側を通り、ファンハブ８に当たることなくファンブレード９を通過して、筐体背面１０から外部に排出される。
【００２４】
＜効果＞
本実施の形態における投射型表示装置は、ランプ光源３と、ランプ光源３を囲むランプユニット２と、ランプユニット２の後方に設けられ、ランプ光源３の熱を排熱する排気ファン７と、を備え、ランプユニット２の背面およびランプユニット２のいずれかの側面はメッシュになっていることを特徴とする。
【００２５】
従って、ランプユニット２のいずれかの側面をメッシュとすることによって、低温気流１２Ａがランプユニット２内に取り込まれる。低温気流１２Ａがランプユニット２内に取り込まれることによって、高温気流１１の軌道が変化するため、ファンハブ８に高温気流１１が当たりにくくなる。よって、ファンハブ８内に配置されるファンブレード９の回転に関わる電子部品や回転機構などが熱によって損傷する可能性を低減することができる。ファンハブ８が高温気流に当たりにくくなることによって、排気ファン７の性能低下および寿命低下を抑制することが可能である。
【００２６】
さらに、低温気流１２Ａがランプユニット２内に入り込むため、ランプ光源３自体の冷却を促進することができる。よって、ランプ光源３（特に、前述のシール部）の高温による劣化を抑えることができる。
【００２７】
＜実施の形態２＞
＜構成＞
図２に、本実施の形態における投射型表示装置の光源周辺部分の断面図を示す。本実施の形態における投射型表示装置において、ランプユニット背面５にはフィン６がさらに備わる。その他の構成は実施の形態１（図１）と同じため、説明を省略する。
【００２８】
実施の形態１では、高温気流１１の軌道が第１低温気流１２Ａにより変化した。本実施の形態において、高温気流１１の軌道がより大きく変化するようにフィン６が配置される。つまり、図２においては、高温気流１１の軌道をより上方向に変化させるように、メッシュ側面４に対して角度を付けてフィン６が配置される。
【００２９】
＜作用＞
ランプユニット背面５に、メッシュ側面に対して角度を付けてフィン６を配置することにより、図２において高温気流１１の軌道はより上方向に変化する。よって、高温気流１１は、実施の形態１よりもさらにファンハブ８から離れた位置においてファンブレード９を通過して、筐体背面１０から外部に排出される。
【００３０】
＜効果＞
本実施の形態における投射型表示装置は、ランプユニット背面５にフィン６をさらに備える。従って、第２低温気流により軌道が変化した高温気流の軌道をより大きく変化させることが可能である。また、第１低温気流が高温気流により押し下げられ、高温気流の軌道が元の軌道に戻ることを防止することも可能である。
【００３１】
また、本実施の形態における投射型表示装置において、フィン６は、メッシュになっている側面（即ちメッシュ側面４）に対して角度を付けて配置されることを特徴とする。
【００３２】
従って、フィン６をメッシュ側面４に対して角度を付けて配置することによって、第２低温気流により軌道が変化した高温気流の軌道を確実により大きく変化させることが可能である。また、第２低温気流により軌道が変化した高温気流の軌道が元の軌道に戻ることをより確実に防止することも可能である。
【００３３】
なお、本発明は、その発明の範囲内において、各実施の形態を自由に組み合わせたり、各実施の形態を適宜、変形、省略することが可能である。
【符号の説明】
【００３４】
１  投射型表示装置筐体、２  ランプユニット、３  ランプ光源、４  メッシュ側面、５  ランプユニット背面、６  フィン、７  排気ファン、８  ファンハブ、９  ファンブレード、１０  筐体背面、１１  高温気流、１２  低温気流、１２Ａ  第１低温気流、１２Ｂ  第２低温気流、１３  ランプキャップ。
【図１】
2014224887.tif 000003
【図２】
2014224887.tif 000004
【図３】
2014224887.tif 000005